(57)【要約】【課題】診察対象位置に応じて高精細な画像を得るための画像復元を可能とすることで、診断の正確性を高めることである。【解決手段】本発明に係る放射線画像復元システム１は、放射線を検出する検出器３１と、検出器３１に到達する放射線の一部を遮蔽する放射線遮蔽体と、検出器３１の検出結果から被写体Ｈの画像データと前記放射線遮蔽体の画像データとを生成する画像生成部と、前記放射線遮蔽体の画像データに基づき画像復元パラメータを算出する画像復元パラメータ算出部と、前記画像復元パラメータを用いて被写体Ｈの画像データから被写体Ｈの復元画像を生成する復元画像生成部と、を備えている。【選択図】図１
2008073318.tif 000002
【特許請求の範囲】
【請求項１】
放射線を検出する検出器と、
前記検出器に到達する放射線の一部を遮蔽する放射線遮蔽体と、
前記検出器の検出結果から被写体の画像データと前記放射線遮蔽体の画像データとを生成する画像生成部と、
前記放射線遮蔽体の画像データに基づき画像復元パラメータを算出する画像復元パラメータ算出部と、
前記画像復元パラメータを用いて前記被写体の画像データから当該被写体の復元画像を生成する復元画像生成部と、
を備えることを特徴とする放射線画像復元システム。
【請求項２】
請求項１に記載の放射線画像復元システムにおいて、
前記放射線遮蔽体が、前記被写体に隣り合う位置で放射線の照射方向に沿って分割された複数の領域にそれぞれ配置されていることを特徴とする放射線画像復元システム。
【請求項３】
請求項２に記載の放射線画像復元システムにおいて、
前記被写体の診察対象位置を入力する位置入力部を備え、
前記画像復元パラメータ算出部が、前記位置入力部で入力された前記被写体の診察対象位置に対応する前記放射線遮蔽体の画像データに基づき画像復元パラメータを算出することを特徴とする放射線画像復元システム。
【請求項４】
請求項１〜３のいずれか一項に記載の放射線画像復元システムにおいて、
前記放射線遮蔽体が、前記検出器に到達する放射線を透過するピンホールを有することを特徴とする放射線画像復元システム。
【請求項５】
放射線を検出する検出器と前記検出器に到達する放射線の一部を遮蔽する放射線遮蔽体とを用いて放射線画像を復元する放射線画像復元方法において、
前記検出器の検出結果から被写体の画像データと前記放射線遮蔽体の画像データとを生成する画像生成工程と、
前記放射線遮蔽体の画像データに基づき画像復元パラメータを算出する画像復元パラメータ算出工程と、
前記画像復元パラメータを用いて前記被写体の画像データから当該被写体の復元画像を生成する復元画像生成工程と、
を備えることを特徴とする放射線画像復元方法。
【請求項６】
請求項５に記載の放射線画像復元方法において、
前記放射線遮蔽体が、前記被写体に隣り合う位置で放射線の照射方向に沿って分割された複数の領域にそれぞれ配置されていることを特徴とする放射線画像復元方法。
【請求項７】
請求項６に記載の放射線画像復元方法において、
前記被写体の診察対象位置を入力する位置入力工程を備え、
前記画像復元パラメータ算出工程では、前記位置入力工程で入力された診察対象位置に対応する前記放射線遮蔽体の画像データに基づき画像復元パラメータを算出することを特徴とする放射線画像復元方法。
【請求項８】
放射線を検出する検出器と、
前記検出器の検出結果から被写体の画像データと前記検出器に到達する放射線の一部を遮蔽する放射線遮蔽体の画像データとを生成する画像生成部と、
前記放射線遮蔽体の画像データに基づき画像復元パラメータを算出する画像復元パラメータ算出部と、
前記画像復元パラメータを用いて前記被写体の画像データから当該被写体の復元画像を生成する復元画像生成部と、
を備えることを特徴とする放射線画像復元装置。
【請求項９】
請求項８に記載の放射線画像復元装置において、
前記被写体の診察対象位置を入力する位置入力部を備え、
前記放射線遮蔽体が、前記被写体に隣り合う位置で放射線の照射方向に沿って分割された複数の領域にそれぞれ配置されており、
前記画像復元パラメータ算出部が、前記位置入力部で入力された前記被写体の診察対象位置に対応する前記放射線遮蔽体の画像データに基づき画像復元パラメータを算出することを特徴とする放射線画像復元装置。
【発明の詳細な説明】
【技術分野】
【０００１】
本発明はＰＳＦにより放射線画像を復元する技術に関する。
【背景技術】
【０００２】
放射線画像撮影においては従来より病巣や患部、病変の早期発見のために、精細な画像の取得が望まれている。このため、撮影に用いられる放射線検出器の検出性能が高められているが、その検出性能が優れるがゆえに被写体の内部で発生する散乱放射線をも検出してしまい、画質を劣化させる一因となっていた。特に、図８に示すように放射線源１００はどうしても一定の面積を有していることから、被写体１０１に放射線を照射すると、放射線源１００の上端から発せられた放射線による投影領域Ａ１と、放射線源１００の下端から発せられた放射線による投影領域Ａ２とでずれが生じてしまい、エッジ部分の輝度分布がばらつくために、ボケた画像が取得されることになっていた。
【０００３】
近年においては撮影条件を基に算出された点像分布関数（point spread function；以下「ＰＳＦ」という。）を画像復元パラメータとして復元処理することにより、ボケ画像を復元することで、ボケを低減した精細な画像を取得することが提案されている（例えば特許文献１、２参照）。
【０００４】
特許文献１には、Ｘ線原画像の撮影条件に応じ、被写体への入射Ｘ線に対する検出器面上での散乱Ｘ線分布を示すＰＳＦを補正してフィルタ係数を出力し、このフィルタ係数とＸ線原画像とをコンボリューションして散乱Ｘ線画像を求め、Ｘ線原画像から散乱Ｘ線画像を減じて直接Ｘ線画像を求める放射線画像撮影システムが記載されている。
【０００５】
他方、特許文献２には、被検体がない状態の拡散光の強度比と拡散光のＰＳＦとの積により拡散光の強度分布関数を求めて拡散光成分の画像を算出し、更に、均一な厚さの人体模擬被写体を配置した状態の散乱線のＰＳＦと被検体の画像とその撮影条件から求めた散乱線の強度比との積により散乱線の強度分布関数を求めて散乱線成分の画像を算出して、前記被検体の画像から前記拡散光成分の画像及び前記散乱線成分の画像を減算することにより、Ｘ線撮影画像を劣化復元する放射線画像撮影システムが記載されている。
【特許文献１】特許第２５０９１８１号公報
【特許文献２】特許第３４２３８２８号公報
【発明の開示】
【発明が解決しようとする課題】
【０００６】
ところで、診察においては患者毎に異なる病変部位や臓器を診ることになるために、特許文献１又は特許文献２に記載のように、撮影条件を基に算出された既定の画像復元パラメータによりボケ画像を復元したとしても、診察対象部位によってはボケが低減されずに正確な診断が困難となるおそれがあった。
【０００７】
すなわち、患者ごとに被写体の厚み方向における診断対象の位置が異なると、各診断対象を通過したＸ線の点像分布は異なることから、各診断対象のボケ画像を劣化復元するための画像復元パラメータも異なり、１つの画像復元パラメータを用いた劣化復元処理では各診断対象のＸ線撮影画像を正確に劣化復元することができないという問題があった。
【０００８】
また、診断対象の位置に応じて画像復元パラメータが異なるのに加え、放射線検出器や放射線照射装置の個体差及び経時変化に応じて画像復元パラメータも変動する。したがって、これらの全てに対応する画像復元パラメータを予め記憶するとなると、膨大な数の画像復元パラメータを記憶させねばならず、記憶部の負荷増大が懸念される。
【０００９】
本発明の課題は、診察対象位置に応じて簡易な処理により高精細な画像を得るための画像復元が可能な放射線画像復元システム、放射線画像復元方法及び放射線画像復元装置を提供することである。
【課題を解決するための手段】
【００１０】
上記課題を解決するため第１の発明に係る放射線画像復元システムは、
放射線を検出する検出器と、
前記検出器に到達する放射線の一部を遮蔽する放射線遮蔽体と、
前記検出器の検出結果から被写体の画像データと前記放射線遮蔽体の画像データとを生成する画像生成部と、
前記放射線遮蔽体の画像データに基づき画像復元パラメータを算出する画像復元パラメータ算出部と、
前記画像復元パラメータを用いて前記被写体の画像データから当該被写体の復元画像を生成する復元画像生成部と、
を備えることを特徴としている。
【００１１】
第２の発明は、
放射線を検出する検出器と前記検出器に到達する放射線の一部を遮蔽する放射線遮蔽体とを用いて放射線画像を復元する放射線画像復元方法において、
前記検出器の検出結果から被写体の画像データと前記放射線遮蔽体の画像データとを生成する画像生成工程と、
前記放射線遮蔽体の画像データに基づき画像復元パラメータを算出する画像復元パラメータ算出工程と、
前記画像復元パラメータを用いて前記被写体の画像データから当該被写体の復元画像を生成する復元画像生成工程と、
を備えることを特徴としている。
【００１２】
第３の発明に係る放射線画像復元装置は、
放射線を検出する検出器と、
前記検出器の検出結果から被写体の画像データと前記検出器に到達する放射線の一部を遮蔽する放射線遮蔽体の画像データとを生成する画像生成部と、
前記放射線遮蔽体の画像データに基づき画像復元パラメータを算出する画像復元パラメータ算出部と、
前記画像復元パラメータを用いて前記被写体の画像データから当該被写体の復元画像を生成する復元画像生成部と、
を備えることを特徴としている。
【発明の効果】
【００１３】
本第１〜第３の発明によれば、診察対象位置に応じて高精細な画像を得るための画像復元を可能とし、診断の正確性を高めることができる。
【発明を実施するための最良の形態】
【００１４】
以下、図面を参照しながら本発明を実施するための最良の形態について説明する。ただし、発明の範囲は図示例に限定されない。
【００１５】
図１は放射線画像復元システム１の概略構成を表す説明図である。
図１に示すように、本発明に係る放射線画像復元システム１には、放射線としてのＸ線を照射するＸ線源２と、Ｘ線源２から照射されて被写体Ｈを透過したＸ線により被写体ＨのＸ線画像を撮影する撮影装置３とが設けられている。
【００１６】
放射線画像復元装置としての撮影装置３は、検出器３１を含む撮影部３２、撮影制御を行うための本体部３３等を備えて構成されている。
【００１７】
撮影部３２は、検出器３１を内蔵し、撮影部位に合わせてその高さ位置を調整可能に構成されている。
【００１８】
検出器３１は照射されるＸ線を検出するものであり、Ｘ線源２に対向するように配置されている。検出器３１としては、Ｘ線エネルギーを吸収、蓄積可能な揮尽性蛍光体プレートやＦＰＤ（Flat Panel Detector）等が適用されている。例えば、揮尽性蛍光体プレートを適用する場合、当該揮尽性蛍光体プレートにレーザ光等の励起光を照射し、蛍光体プレートから出射される揮尽光を画像信号に光電変換する読取部が撮影部３２内に設けられている。読取部により生成された画像信号（アナログ信号）は本体部３３に出力されるようになっている。
【００１９】
一方、ＦＰＤは入射したＸ線量に応じて電気信号を生成する変換素子がマトリクス状に配設されたものであり、ＦＰＤ内で直接電気信号を生成する点で上記蛍光体プレートと異なる。例えば、検出器３１としてＦＰＤを適用した場合、ＦＰＤ内で生成された電気信号がＡ／Ｄ変換され、得られたデジタル画像データが本体部３３に出力されるようになっている。
【００２０】
本体部３３は撮影部３２と接続されており、検出器３１から入力された画像信号若しくはデジタル画像データに対して画像処理を施す画像処理装置１０が搭載されている。
【００２１】
図２は画像処理装置１０の主制御構成を表すブロック図である。
図２に示すように、画像処理装置１０には、検出器３１で読み取られた画像データ（画像信号若しくはデジタル画像データ）が入力される入力部１１と、各種指示が入力される操作部１２と、各種画像データや制御データを記憶する記憶部１３と、記憶部１３中の制御データを基に画像データに対して画像処理を施す処理部１４と、画像処理が施された画像データを外部の表示装置６０に出力する出力部１５と、これらを制御する制御部１６とが設けられている。
【００２２】
入力部１１は、検出器３１と電気的に接続されていて、当該検出器３１で読み取られた画像データが入力されるようになっている。
【００２３】
操作部１２は、例えば周知のタッチパネル式の操作パネル等から構成されていて、ユーザの操作によって撮影開始指示や、復元画像の生成指示、撮影条件、診察対象位置等が入力されるようになっている。つまり、操作部１２が、被写体Ｈの診察対象位置を入力する位置入力部である。被写体Ｈの診察対象位置を入力する際には、操作部１２に対し、例えば被写体Ｈを模した画像が表面部Ｂ１，中央部Ｂ２，裏面部Ｂ３（図３参照）のように３つの領域に分割された状態で表示され、それらのいずれかの位置をタッチすることで入力されるようになっている。
【００２４】
記憶部１３には、検出器３１で読み取られた画像データが一時的に記憶されるようになっている。更に記憶部３１には、被写体Ｈの放射線撮影が行われるごとに診察対象位置（表面部Ｂ１，中央部Ｂ２，裏面部Ｂ３）に対応するＰＳＦが画像復元パラメータとして一時的に記憶されるようになっている。画像復元パラメータはボケ画像を復元する際に用いられる関数であり、本実施の形態では点像分布関数（ＰＳＦ）が用いられているが、ＰＳＦから算出される他の関数であってもよい。画像の復元処理に関しては後述する。
【００２５】
処理部１４は、操作部１２により入力された被写体Ｈの診察対象位置に対応するＰＳＦを記憶部１３から読み出し、当該ＰＳＦと記憶部１３に記憶された画像データとを基に復元画像を生成するようになっている。
【００２６】
制御部１６は、操作部１２に入力された指示に基づいてＸ線源２における管電圧、管電流等のＸ線の照射条件や照射タイミング等を指示操作することが可能であり、制御部１６ではこの指示操作に応じてＸ線源２、撮影部３２等の各部の動作を集中制御するようになっている。
【００２７】
図３は放射線画像復元システム１において被写体Ｈを上方から見た図面である。
図３に示すように、当該放射線画像復元システム１では、被写体Ｈの隣り合う位置に３つの第１〜第３の放射線遮蔽体５０１、５０２、５０３が配置されている。
【００２８】
第１の放射線遮蔽体５０１は、表面部Ｂ１の放射線画像を復元するためのＰＳＦを取得するために設けられており、被写体Ｈの表面部Ｂ１に対応する位置である、Ｘ線源２を起点とした直線距離Ｌ１の位置に配置されている。
第２の放射線遮蔽体５０２は、中央部Ｂ２の放射線画像を復元するためのＰＳＦを取得するために設けられており、被写体Ｈの中央部Ｂ２に対応する位置である、Ｘ線源２を起点とした直線距離Ｌ２の位置に配置されている。
第３の放射線遮蔽体５０３は、裏面部Ｂ３の放射線画像を復元するためのＰＳＦを取得するために設けられており、被写体Ｈの裏面部Ｂ３に対応する位置である、Ｘ線源２を起点とした直線距離Ｌ３の位置に配置されている。
これら第１〜第３の放射線遮蔽体５０１、５０２、５０３はいずれも同じ高さ位置に図示しない固定具により配置されている。
【００２９】
第１〜第３の各放射線遮蔽体５０１、５０２、５０３はそれぞれ、放射線の透過を遮蔽する鉛等の板材で構成されている。第１〜第３の各放射線遮蔽体５０１、５０２、５０３にはそれぞれ、放射線の透過を許容するピンホール５１１、５１２、５１３（貫通孔）が１つずつ形成されている。
【００３０】
第１〜第３の各放射線遮蔽体５０１、５０２、５０３の大きさや形状は特に制限はないが、Ｘ線源２から照射された放射線が完全遮蔽される箇所と、Ｘ線源２から照射された放射線が通過する箇所との境界が撮影できるようになっている。本実施の形態においては、放射線を遮蔽する第１〜第３の各放射線遮蔽体５０１、５０２、５０３に、放射線が通過するピンホール５１１、５１２、５１３が設けられており、ピンホール５１１、５１２、５１３の放射線画像を得ることでＰＳＦを取得するようにしているが、矩形状や放射線が通過するスリットが設けられたものであってもよい。
【００３１】
図４は、第１の放射線遮蔽体５０１を図３の矢示Ｘ方向から見た正面図である。
図４においては、第１の放射線遮蔽体５０１の厚さは０．０１〜０．１ｍｍ、幅Ｗ１は５０ｍｍ、高さＨ１は５０ｍｍであり、ピンホール５１１の直径Ｒ１は数μｍ〜５０μｍとなっている。
【００３２】
なお、第２の放射線遮蔽体５０２及び第３の放射線遮蔽体５０３においても同様であるが、厚さ、幅Ｗ、高さＨ、ピンホールの直径Ｒは第１の放射線遮蔽体５０１と同じでも異なっていてもよい。
【００３３】
このように、放射線を遮蔽する板材にピンホールを形成した放射線遮蔽体として上記第１〜第３の放射線遮蔽体５０１、５０２、５０３を適用することにより、後述するＰＳＦ算出工程において、放射線画像に発生したボケの分布を容易に特定することができる。
【００３４】
撮影に際しては、被写体Ｈの側方であって、検出器３１の放射線画像が投影される位置に第１〜第３の各放射線遮蔽体５０１、５０２、５０３が設置され、被写体Ｈの体型や姿勢に合わせてＬ１、Ｌ２及びＬ３が適宜に変更される。
【００３５】
次に、本発明に係る放射線画像復元方法について説明する。
【００３６】
図５は放射線画像復元方法に係る放射線画像撮影処理を経時的に示すフローチャートである。
ユーザの操作により操作部１２に撮影開始指示が入力されると、制御部１６は、Ｘ線源２と撮影部３２とを制御して被写体Ｈと第１〜第３の放射線遮蔽体５０１、５０２、５０３とを撮影させ、画像生成部としての撮影部３２に「被写体Ｈの画像データ」と「第１〜第３の放射線遮蔽体５０１、５０２、５０３（の各ピンホール５１１、５１２、５１３）の画像データ」とを生成させ（画像生成工程）、その被写体Ｈの画像データと第１〜第３の放射線遮蔽体５０１、５０２、５０３の画像データとを撮影部３２から入力部１１に入力させる（ステップＳ１）。
なお、本実施の形態においては、被写体Ｈを撮影する都度、「被写体Ｈの画像データ」と「第１〜第３の放射線遮蔽体５０１、５０２、５０３の画像データ」が生成される。
【００３７】
ステップＳ１の処理を終えたら、制御部１６は、入力部１１に入力された被写体Ｈの画像データと第１〜第３の放射線遮蔽体５０１、５０２、５０３の画像データとを記憶部１３に一時的に記憶させる（ステップＳ２）。
【００３８】
ステップＳ２の処理を終えたら、制御部１６は、入力部１１に復元画像生成指示が入力されたか否かを判断して（ステップＳ３）、入力されている場合にはステップＳ４の処理に移行し、入力されていない場合にはステップＳ９の処理に移行する。
【００３９】
ステップＳ４の処理では、制御部１６は、ユーザの操作により操作部１２で診察対象位置（表面部Ｂ１，中央部Ｂ２，裏面部Ｂ３）が入力されているか否かを判断し、入力されている場合（位置入力工程）にはステップＳ５の処理に移行して、所定時間以上入力されていない場合にはステップＳ９の処理に移行する。
【００４０】
ステップＳ５の処理では、制御部１６は、画像復元パラメータ算出部となって、操作部１２により入力された診察対象位置に対応する画像復元パラメータであるＰＳＦを算出する（画像復元パラメータ算出工程）。
【００４１】
詳しくは、制御部１６は、上記ステップＳ２の処理で記憶部１３に記憶させた第１〜第３の放射線遮蔽体５０１、５０２、５０３の画像データ中から、入力された診察対象位置に対応する位置に配置された第１〜第３の放射線遮蔽体５０１、５０２、５０３の画像データのいずれかを特定する。すなわち、入力された診察対象位置が被写体Ｈの中央部Ｂ２である場合には、制御部１６は第２の放射線遮蔽体５０２の画像データを特定する（図３参照）。その後、制御部１６はその特定した第１〜第３の放射線遮蔽体５０１、５０２、５０３の画像データから輝度分布を算出し、その輝度分布の線形形状に近似した関数を算出する。この算出された関数が診察対象位置のＰＳＦである。
【００４２】
ステップＳ５の処理を終えたら、制御部１６は、算出したＰＳＦを記憶部１３に一時的に記憶させる（ステップＳ６）。
【００４３】
ステップＳ６の処理を終えたら、処理部１４は、復元画像生成部となって、上記ステップＳ２の処理で記憶部１３に記憶させた被写体Ｈの画像データと、上記ステップＳ５の処理で算出されたＰＳＦとを記憶部１３から読み出し（ステップＳ７）、その読み出した画像データとＰＳＦとを基に復元画像を生成する（ステップＳ８：復元画像生成工程）。
【００４４】
ステップＳ８の処理では、図６に示すように、処理部１４は、記憶部１３から読み出した被写体Ｈの画像データが入力されると（ステップＳ８１）、その画像データに対してフーリエ変換を行う（ステップＳ８２）。その後、処理部１４は、記憶部１３からＰＳＦを読出し（ステップＳ８３）、その読み出したＰＳＦをフーリエ変換する（ステップＳ８４）。その後、処理部１４は、ステップＳ８２でフーリエ変換した画像データをステップＳ８４でフーリエ変換したＰＳＦで除算し（ステップＳ８５）、その演算結果に対し逆フーリエ変換を行い（ステップＳ８６）、復元画像（復元画像の画像データ）を生成する。
【００４５】
なお、ステップＳ８の処理では、単にデコンボリューションをするよりも、ベイズ推定に基づく下記式（１）を実行することが好ましい。なお、下記式（２）において、ＨはＸ線撮影画像、Ｗは劣化復元画像、ＳはＰＳＦである。また、下記式（２）のａ＝（１，ｋ−Ｋ+１）ｍａｘ、ｂ＝（ｋ，Ｉ）ｍｉｎ、ｃ＝ｉ+Ｋ−１である。なお、ＫはベクトルＳの要素数、ＩはベクトルＷの要素数であり、ｋ＝｛１、２、・・・Ｋ｝、ｉ＝｛１、２、・・・Ｉ｝である。ｒは繰り返し回数を表す０以上の整数である。そして、下記式（１）における初期値は下記式（２）である。
【００４６】
【数１】
2008073318.tif 000003
【００４７】
【数２】
2008073318.tif 000004
【００４８】
ステップＳ８の処理を終えたら、制御部１６は、未復元の画像データ若しくは復元済みの画像データに対して、復元処理以外の画像処理を施す（ステップＳ９）。
【００４９】
ステップＳ９の処理を終えたら、制御部１６は、出力部１５を制御して、ステップＳ９で画像処理が施された画像データを外部の表示装置６０に出力し（ステップＳ１０）、当該放射線画像撮影処理を終了する。
【００５０】
以上の本実施形態では、撮影毎にＰＳＦを算出しているので、被写体Ｈ若しくは検出器３１の個体差又は検出器３１若しくはＸ線源２の経時変化に応じた復元処理が行われるので、常に高精細な画像を得るための画像復元が可能となり、診断の正確性を高めることができる。
【００５１】
また本実施形態では、ステップＳ５の処理において入力された診察対象位置に対応する第１〜第３の放射線遮蔽体５０１、５０２、５０３の画像データから画像復元パラメータを算出するため、被写体Ｈの診察対象位置に応じた復元画像が生成される。そのため、診察対象位置に応じて高精細な画像を得るための画像復元が可能となり、診断の正確性を高めることができる。
【００５２】
なお、本実施の形態においては、ステップＳ５の処理において入力された診察対象位置に対応する第１〜第３の放射線遮蔽体５０１、５０２、５０３の画像データから画像復元パラメータであるＰＳＦを算出するものとしたが、ステップＳ２の処理後、第１〜第３の放射線遮蔽体５０１、５０２及び５０３の画像データから、それぞれのＰＳＦを算出して記憶部１３に記憶させ、ステップＳ５の処理において入力された診察対象位置に対応するＰＳＦを記憶部１３から読み出すようにしてもよい。このようにすると、被写体Ｈの診察対象位置が複数に亘る場合であっても、入力した診察対象位置に対応した画像復元が実行された画像を迅速に得ることが可能となる。
【００５３】
また、記憶部１３に記憶させる画像復元パラメータとして、ＰＳＦに代えてＰＳＦから算出される関数を適用してもよい。
【００５４】
なお、本発明は上記実施形態に限定されることなく、本発明の主旨を逸脱しない範囲において種々の改良及び設計変更をおこなってもよい。
【００５５】
一の改良・設計変更事項として、図７に示す通り、第１〜第３の放射線遮蔽体５０１、５０２、５０３を被写体Ｈの左右両側やその上下にも設置し、上記ステップＳ５の処理で被写体Ｈの診察対象位置に最も近い位置の第１〜第３の放射線遮蔽体５０１、５０２、５０３の画像データからＰＳＦを算出してもよい。この場合、上下方向で発生するボケの画像復元パラメータも算出することが可能となり、診察対象位置に応じた、より高精度の画像復元が可能となる。
【００５６】
他の改良・設計変更事項として、被写体Ｈの診察対象位置をＸ線の照射方向に沿って２つの領域又は４つ以上の領域に分割した構成とし（上記実施形態では表面部Ｂ１，中央部Ｂ２，裏面部Ｂ３の３つの領域に分割されている。）、その各領域に対応した位置に第１〜第３の放射線遮蔽体５０１、５０２、５０３をそれぞれ設置するとともに、上記ステップＳ５の処理で被写体Ｈの診察対象位置に最も近い位置の第１〜第３の放射線遮蔽体５０１、５０２、５０３の画像データからＰＳＦを算出するようにしてもよい。
【００５７】
他の改良・設計変更事項として、被写体Ｈの診察対象位置の近傍に第１の放射線遮蔽体５０１を直接貼付してその第１の放射線遮蔽体５０１の画像データからＰＳＦを算出するようにしてもよいし、被写体Ｈの診察対象位置と対称的な部位（診察対象部位が「左肺」である場合には「右肺」が対称的な部位）の近傍に第１の放射線遮蔽体５０１を直接貼付してその第１の放射線遮蔽体５０１の画像データからＰＳＦを算出するようにしてもよい。この場合、被写体Ｈの内部で発生する散乱放射線に起因して発生するボケのＰＳＦを高精度に算出することが可能となり、診察対象位置に応じた、より高精度の画像復元が可能となる。
【００５８】
他の改良・設計変更事項として、上記改良・設計変更事項を含めて、第１〜第３の放射線遮蔽体５０１、５０２、５０３をピンホール５１１、５１２、５１３に相当する微小な球状の放射線遮蔽体とし、当該放射線遮蔽体の画像データからＰＳＦを算出するようにしてもよい。この場合、簡易な構成で多くの放射線遮蔽体を設置することが可能となり、Ｘ線源２から照射されるＸ線に対する放射線遮蔽体の設置における制約（例えば、Ｘ線源２に対して正面に対峙するように板材を設置する等）が少なくなる。
【図面の簡単な説明】
【００５９】
【図１】放射線画像復元システムの概略構成を表す側面図である。
【図２】画像処理装置の主制御構成を表すブロック図である。
【図３】放射線画像復元システムにおいて被写体を上方から見た図面である。
【図４】第１の放射線遮蔽体を図３の矢示Ｘ方向から見た正面図である。
【図５】放射線画像撮影処理を経時的に示すフローチャートである。
【図６】復元処理の流れを表す説明図である。
【図７】放射線遮蔽体の設置位置を表す説明図である。
【図８】従来の放射線源によるボケ画像の発生原理を表す説明図である。
【符号の説明】
【００６０】
１  放射線画像復元システム
２  Ｘ線源
３  撮影装置（放射線画像復元装置）
３１  検出器
３２  撮影部（画像生成部）
３３  本体部
１０  画像処理装置
１１  入力部
１２  操作部（位置入力部）
１３  記憶部
１４  処理部（復元画像生成部）
１５  出力部
１６  制御部（画像復元パラメータ算出部）
５０１、５０２、５０３  第１〜第３の放射線遮蔽体（放射線遮蔽体）
５１１、５１２、５１３  ピンホール
６０  表示装置
Ｈ  被写体
【図１】
2008073318.tif 000005
【図２】
2008073318.tif 000006
【図３】
2008073318.tif 000007
【図４】
2008073318.tif 000008
【図５】
2008073318.tif 000009
【図６】
2008073318.tif 000010
【図７】
2008073318.tif 000011
【図８】
2008073318.tif 000012